(57)【要約】【課題】消毒作業を素早く簡単に行うことができる器具消毒用の使い捨て消毒パッド包装体を提供する。【解決手段】医療器具等の器具を消毒するための器具消毒用の使い捨て消毒パッド包装体１であって、開口部を有する容器本体１１と、消毒液が含浸され、容器本体１１に収容された消毒パッド１３と、該容器本体１１の開口部を密封すべく開口縁部にヒートシールされた蓋体１２とを備え、蓋体１２の内面と消毒パッド１３との間には、少なくとも消毒パッド１３の周縁部において隙間Ｓが形成され、器具の先端部を容器内に挿入して消毒する際に消毒パッド１３を容器内に保持するパッド保持手段１６を備えている。【選択図】図１
2013144569.tif 000002
【特許請求の範囲】
【請求項１】
医療器具等の器具を消毒するための器具消毒用の使い捨て消毒パッド包装体であって、
開口部を有する容器本体と、消毒液が含浸され、容器本体に収容された消毒パッドと、該容器本体の開口部を密封すべく開口縁部にヒートシールされた蓋体とを備え、蓋体の内面と消毒パッドとの間には、少なくとも消毒パッドの周縁部において隙間が形成され、器具の先端部を容器内に挿入して消毒する際に消毒パッドを容器内に保持するパッド保持手段を備えていることを特徴とする器具消毒用の使い捨て消毒パッド包装体。
【請求項２】
消毒パッドの上面全体が蓋体の内面から下方に所定距離離間している請求項１記載の器具消毒用の使い捨て消毒パッド包装体。
【請求項３】
パッド保持手段として、消毒パッドを係止する係止部が容器本体に形成されている請求項１又は２記載の器具消毒用の使い捨て消毒パッド包装体。
【請求項４】
開封後に容器本体の開口部に残る蓋体の残部がパッド保持手段を構成する請求項１又は２記載の器具消毒用の使い捨て消毒パッド包装体。
【請求項５】
消毒パッドに器具の先端部を挿入可能な挿通部が形成されている請求項１乃至４の何れかに記載の器具消毒用の使い捨て消毒パッド包装体。
【請求項６】
挿通部は消毒パッドを貫通するように形成され、消毒パッドは容器本体の底部から所定距離開口部側に離間した位置に収容されている請求項５記載の器具消毒用の使い捨て消毒パッド包装体。
【発明の詳細な説明】
【技術分野】
【０００１】
本発明は、医療器具等の器具を消毒するのに適した使い捨て消毒パッド包装体に関する。
【背景技術】
【０００２】
従来、医療器具を簡易的に消毒する際には、例えば消毒液を付けたガーゼを予め容器に多数収容しておき、そこから使用の都度ガーゼをピンセット等で取り出して、そのガーゼで医療器具を拭くようにして消毒していた。しかしながら予め消毒液を含浸させたガーゼを用意して容器に収容しておくという準備作業が必要である。これに対して、下記特許文献１乃至３では、消毒液を含浸した消毒綿等を一つずつ個別包装しておき、使用の都度開封して消毒綿等を取り出して使用することも提案されているが、この場合でも、容器から消毒綿等を取り出して消毒しなければならず、依然として作業が面倒であった。
【先行技術文献】
【特許文献】
【０００３】
【特許文献１】特開２００３−２３１５６０号公報
【特許文献２】実開平７−９３２６号公報
【特許文献３】実開昭６２−１７２４４９号公報
【発明の概要】
【発明が解決しようとする課題】
【０００４】
それゆえに本発明は上記従来の問題点に鑑みてなされ、消毒作業を素早く簡単に行うことができる器具消毒用の使い捨て消毒パッド包装体を提供することを課題とする。
【課題を解決するための手段】
【０００５】
本発明は、上記課題を解決すべくなされたものであって、本発明に係る器具消毒用の使い捨て消毒パッド包装体は、医療器具等の器具を消毒するための器具消毒用の使い捨て消毒パッド包装体であって、開口部を有する容器本体と、消毒液が含浸され、容器本体に収容された消毒パッドと、該容器本体の開口部を密封すべく開口縁部にヒートシールされた蓋体とを備え、蓋体の内面と消毒パッドとの間には、少なくとも消毒パッドの周縁部において隙間が形成され、器具の先端部を容器内に挿入して消毒する際に消毒パッドを容器内に保持するパッド保持手段を備えていることを特徴とする。尚、パッド保持手段は、容器本体側に備えられていても蓋体側に備えられていてもよい。また、容器本体に消毒パッドが接着剤によって接着された構成としてもよく、その場合にはその接着剤がパッド保持手段を構成する。
【０００６】
該構成の器具消毒用の使い捨て消毒パッド包装体にあっては、消毒パッドがパッド保持手段によって容器内に保持されるので、消毒パッドを容器から取り出すことなく、器具の先端部を容器内に挿入して消毒することができる。そして、容器本体の開口縁部にヒートシールされた蓋体によって開口部が閉塞され密封されているが、少なくとも消毒パッドの周縁部において蓋体の内面との間に隙間が形成されているので、蓋体をヒートシールする際の熱によって消毒パッドの消毒液が蒸発するということが防止される。
【０００７】
特に、消毒パッドの上面全体が蓋体の内面から下方に所定距離離間していることが好ましく、ヒートシール時における消毒液の蒸発をより一層確実に防止できる。
【０００８】
また、パッド保持手段として、消毒パッドを係止する係止部が容器本体に形成されていることが好ましい。容器本体に係止部を形成すると蓋体側に特殊な構造を採用する必要がないので、蓋体の強度を高めることが容易となり、蓋体の破損を防止しやすくなる。
【０００９】
また、開封後に容器本体の開口部に残る蓋体の残部がパッド保持手段を構成することも好ましい。この場合には容器本体側に消毒パッドを保持するための構造を設ける必要がなくなり、特に消毒パッドを容器本体に収容する工程が容易になる。
【００１０】
また、消毒パッドに器具の先端部を挿入可能な挿通部が形成されていることが好ましい。消毒パッドによって消毒できる器具の領域が長くなり、また効率良く消毒することができる。
【００１１】
特に、挿通部が消毒パッドを貫通するように形成され、消毒パッドが容器本体の底部から所定距離開口部側に離間した位置に収容されていることが好ましい。挿通部が消毒パッドを貫通していることで消毒パッドの厚さ全体を使って消毒することができる。更に、消毒パッドが容器本体の底部から浮いた状態にあると、器具の先端部を消毒パッドから突出させるようにして消毒できるので、消毒可能な器具の領域を更に拡大することができる。
【発明の効果】
【００１２】
以上のように、本発明に係る器具消毒用の使い捨て消毒パッド包装体にあっては、器具の先端部を容器内に挿入して消毒することができるので、消毒作業を素早く簡単に行うことができる。
【図面の簡単な説明】
【００１３】
【図１】本発明の一実施形態における器具消毒用の使い捨て消毒パッド包装体を示す断面図。
【図２】同器具消毒用の使い捨て消毒パッド包装体の使用状態を示す断面図。
【図３】本発明の他の実施形態における器具消毒用の使い捨て消毒パッド包装体を示す断面図。
【図４】同実施形態における器具消毒用の使い捨て消毒パッド包装体の使用状態を示す断面図。
【図５】本発明の他の実施形態における器具消毒用の使い捨て消毒パッド包装体を示す断面図。
【図６】同実施形態における器具消毒用の使い捨て消毒パッド包装体の使用状態を示す断面図。
【図７】本発明の他の実施形態における器具消毒用の使い捨て消毒パッド包装体を示す断面図。
【図８】本発明の他の実施形態における器具消毒用の使い捨て消毒パッド包装体を示す断面図。
【図９】同実施形態における器具消毒用の使い捨て消毒パッド包装体の使用状態を示す断面図。
【図１０】本発明の他の実施形態における器具消毒用の使い捨て消毒パッド包装体を示す断面図。
【図１１】本発明の他の実施形態における器具消毒用の使い捨て消毒パッド包装体を示す断面図。
【図１２】本発明の他の実施形態における器具消毒用の使い捨て消毒パッド包装体を示す断面図。
【図１３】本発明の他の実施形態における器具消毒用の使い捨て消毒パッド包装体を示す断面図。
【発明を実施するための形態】
【００１４】
以下、本発明の一実施形態に係る器具消毒用の使い捨て消毒パッド包装体について図１及び図２を参酌しつつ説明する。図１に示す器具消毒用の使い捨て消毒パッド包装体１は、上方に開口する開口部１０を有する容器本体１１と、該容器本体１１の開口部１０を密封する蓋体１２とからなる容器に、器具２を消毒するための消毒パッド１３が収容されたものである。
【００１５】
容器本体１１は、有底円筒状のものであって、例えば、開口部１０の直径が数十ｍｍ程度で深さが数十ｍｍ程度の大きさのものである。容器本体１１の上端部には外側に向けて略水平に突出したフランジ部１４が全周に亘って形成されている。また、容器本体１１の側壁部１５の上端部には、内側に向けて円弧状に突出した係止用凸部１６が一体的に形成されている。該係止用凸部１６は全周に形成されており、従って係止用凸部１６は環状であり、フランジ部１４の内側に連続して形成されている。該係止用凸部１６は、収容された消毒パッド１３が容器本体１１から上方に離脱することを阻止すべく消毒パッド１３を上側から係止する係止部を構成している。容器本体１１はプラスチックシートをシート成形することにより形成されているが、射出成形により形成されていてもよい。尚、係止用凸部１６を一体的に形成したが、別体に形成したものを接着等により固定してもよい。
【００１６】
蓋体１２は、単層又は多層のフィルムからなり、容器本体１１のフランジ部１４の上面に剥離可能にヒートシールされている。容器本体１１のフランジ部１４の上面は開口部１０の開口縁部であり、従って、蓋体１２がフランジ部１４の上面に全周に亘ってヒートシールされることにより容器本体１１の開口部１０が閉塞され、容器は密封状態となる。該蓋体１２を容器本体１１にヒートシールするためには少なくとも蓋体１２の内面を容器本体１１とヒートシール可能な合成樹脂から構成する。尚、蓋体１２の周縁部の一部には摘み部２０が形成されており、該摘み部２０が容器本体１１のフランジ部１４から外側にはみ出すことで、該摘み部２０を摘んで容易に開封することができる。
【００１７】
消毒パッド１３は、消毒液を吸収保持可能なものであればよく、例えば多孔質体、より具体的にはスポンジや脱脂綿等により形成されていて、各種の消毒液が含浸されている。該消毒パッド１３は、容器本体１１の形状に合わせて円柱状に形成されている。消毒パッド１３は容器本体１１の側壁部１５よりも若干大きく形成されており、従って、消毒パッド１３は中心側に圧縮された状態で容器本体１１に収容され、側壁部１５の内面に密着している。また、消毒パッド１３は容器本体１１の係止用凸部１６の下側に収容されていてその上面が係止用凸部１６によって係止されている。具体的には、消毒パッド１３は容器本体１１の底部１７と係止用凸部１６との間に収容されており、底部１７と係止用凸部１６によって上下から若干圧縮されるように狭持された状態で収容されている。尚、容器本体１１の側壁部１５に係止用凸部１６が形成されているので、消毒パッド１３を容器本体１１に収容する際には、消毒パッド１３が弾性変形しながら容器本体１１の係止用凸部１６を下方に乗り越えていくことになる。消毒パッド１３の上面は平坦面であるので、収容状態においては消毒パッド１３の上面全体が蓋体１２の内面から所定距離下方に離間した状態となり、消毒パッド１３の上面と蓋体１２の内面との間には所定の隙間Ｓが形成されている。上述のように蓋体１２は容器本体１１のフランジ部１４にヒートシールされているが、消毒パッド１３の上面特にフランジ部１４の近傍である周縁部が蓋体１２の内面から下方に離間しているので、ヒートシールの熱によって消毒液が蒸発することを防止できる。特に消毒パッド１３の上面全体が蓋体１２の内面から下方に離間しているので、消毒液の蒸発が確実に防止できる。
【００１８】
尚、消毒パッド１３の下面も平坦面であって容器本体１１の底部１７の内面も平坦面である。従って、容器本体１１の底部１７に消毒パッド１３が隙間Ｓをあけることなく載置されているが、消毒パッド１３の下面の中央部に凹部を形成するなどして、例えば消毒パッド１３の下面の中央部が局所的に容器本体１１の底部１７から上方に離間して底部１７との間に凹部に対応した空間部を形成してもよい。
【００１９】
また、消毒パッド１３の中央部には上下に貫通する挿通部としての切り込み３０が形成されている。該切り込み３０は平面視においてマイナス状であってもプラス状（十字状）であっても放射状であってもよくその形状は任意である。何れにしても、切り込み３０は、図２のように消毒対象である器具２の先端部２ａが挿入できるように形成されている。
【００２０】
以上のように構成された器具消毒用の使い捨て消毒パッド包装体１においては、消毒パッド１３がその保有弾性を利用して圧縮状態で容器本体１１に圧入されて容器本体１１の側壁部１５に密着している。係止用凸部１６が側壁部１５の上端部に位置しているので、係止用凸部１６が側壁部１５の上下方向中途部に位置している場合に比して消毒パッド１３の高さ寸法を確保しやすくなると同時に、係止用凸部１６の高さ寸法を利用して消毒パッド１３の上面と蓋体１２の内面との間に係止用凸部１６の高さ寸法に対応した隙間Ｓを自動的に形成することができる。
【００２１】
そして、使用前の状態では蓋体１２によって開口部１０が閉塞されて密封状態にあり、消毒パッド１３は外気から完全に遮断された状態にある。使用に際しては図２の二点鎖線のように蓋体１２を容器本体１１から剥がすようにして開封し、容器本体１１の開口部１０を上方に開放させる。容器開封後、例えば容器を一方の手で把持したままで他方の手で器具２を持ち、その器具２の先端部２ａを容器本体１１の開口部１０から容器内に挿入して、図２のように器具２の先端部２ａを消毒パッド１３の切り込み３０に挿入させる。そして、例えばこの状態で器具２の先端部２ａを上下動させたり回転させたりして消毒する。消毒パッド１３が容器本体１１の側壁部１５に密着しているので、側壁部１５との間の摩擦抵抗によって消毒作業時において消毒パッド１３は安定した状態にある。しかも、消毒パッド１３が容器本体１１の底部１７と係止用凸部１６との間に上下に狭持されているので、消毒作業中に消毒パッド１３が上下にぐらつくということもなく、消毒作業を容易に行うことができる。
【００２２】
そして所望の消毒作業が終了すると器具２の先端部２ａを消毒パッド１３から上方に引き抜くことになるが、その際、消毒パッド１３が容器本体１１の係止用凸部１６に係止されているので、器具２の上方への引き抜き動作に伴って消毒パッド１３が器具２と共に容器本体１１から抜け出るということがない。このように消毒パッド１３を容器から取り出すことなく器具２の先端部２ａを容器内に挿入して消毒することができるので、容易に且つ素早く消毒作業を行うことができる。従って、舌圧子やピンセット、メス等の主として棒状の医療器具２を簡易的に素早く消毒することができる。例えば、オートクレーブ等で殺菌処理した医療器具２を実際に使用する直前に再度簡易的に消毒する場合に効果的である。また本格的な消毒が必要とされない器具２の消毒にも適している。
【００２３】
使用後の消毒パッド１３は容器本体１１と共に廃棄処分することができる。蓋体１２は容器本体１１から完全に剥がしてもよいが、図２の二点鎖線のようにその一部を容器本体１１から剥離せずに接着させたままで消毒してもよい。その場合には蓋体１２も容器本体１１と一緒に廃棄することができる。何れにしても使い捨て消毒パッド包装体１は使い切りタイプであるので衛生的である。
【００２４】
尚、本実施形態では消毒パッド１３を容器本体１１の底部１７に載置するようにして収容していたが、消毒パッド１３を容器本体１１の底部１７から所定距離上方に浮かせるようにして収容してもよい。消毒パッド１３を容器本体１１の底部１７から所定距離上方に離間した位置に収容配置する構成は種々あるが、例えば、図３のように、容器本体１１の側壁部１５の内面における上下方向中途部に段差部１８を設け、該段差部１８に消毒パッド１３の下面周縁部が載置するように構成すると共に、段差部１８よりも下方の容器本体１１を小径部とするなど小型化して該段差部１８よりも下側に空間部Ｖを形成する構成とすることができる。即ち、容器本体１１の底部１７と消毒パッド１３の下面との間に空間部Ｖを形成するようにすると、図４のように消毒パッド１３の切り込み３０に挿通させた器具２の先端部２ａが消毒パッド１３を下方に貫通し、該器具２の先端側の所定領域が消毒パッド１３よりも下方に突出した状態となる。従って、器具２が消毒パッド１３に接触する領域、ストロークが長くなり、器具２の消毒可能領域を拡大することができる。また、段差部１８に消毒パッド１３を載置する構成であるので、容器本体１１とは別に嵩上げするための別途の部材も不要であり、また、フラットな段差部１８で消毒パッド１３を支持するので消毒パッド１３が柔軟なものであっても段差部１８でしっかりと支えることができる。更に段差部１８と係止用凸部１６との間に消毒パッド１３が押し込められて段差部１８と係止用凸部１６で消毒パッド１３が上下に狭持された状態にあると、消毒作業時に消毒パッド１３が安定する。尚、消毒パッド１３の厚さよりも空間部Ｖの上下方向の寸法が長くなっているので、消毒パッド１３の体積が小さくて済む。但し、両者の寸法関係が逆であっても無論よい。また図３及び図４のように容器本体１１を全体として縦長に構成することも好ましい。
【００２５】
更に、消毒パッド１３の形状や収容状態の態様についても種々の変更が可能である。例えば、図５のように消毒パッド１３を半球状を有する形状に形成してもよい。具体的には、図５の消毒パッド１３は、半球状（ドーム状）の本体部３１と、該本体部３１の下端部周縁に周設された薄肉環状の鍔部３２とを有している。消毒パッド１３の鍔部３２は、予め成形によって所定厚さに形成してもよく、成形後に上下方向（厚さ方向）に例えば加熱しながら圧縮して所定厚さに形成してもよく、また、容器本体１１に収容する際に上下方向に押圧しながら係止用凸部１６の下方に押し込むように挿入することで所定厚さにしてもよい。
【００２６】
該消毒パッド１３の鍔部３２の上側には補強板４０が設けられている。該補強板４０は薄肉のプラスチック板であって、ドーナツ状に形成されていてその内側を消毒パッド１３の本体部３１が挿通している。該補強板４０は、消毒パッド１３の鍔部３２の上面にヒートシールや接着剤等によって接着されていてもよく、また接着されていなくてもよい。補強板４０を消毒パッド１３の鍔部３２にヒートシールする場合には、そのヒートシール後に消毒液を消毒パッド１３に含浸させることが好ましい。何れにしても補強板４０は消毒パッド１３の鍔部３２と容器本体１１の係止用凸部１６との間に位置し、消毒パッド１３の鍔部３２は補強板４０を介して容器本体１１の係止用凸部１６に係止される。尚、係止用凸部１６は容器本体１１の側壁部１５の下部領域に形成されている。消毒パッド１３を容器本体１１に収容する際には、消毒パッド１３と共に補強板４０を容器本体１１の係止用凸部１６を下方に乗り越えるようにして収容して容器本体１１の底部１７に消毒パッド１３を載置した状態とする。従って、係止用凸部１６は円弧状であることが好ましい。
【００２７】
このように消毒パッド１３が半球状の本体部３１を有する場合には本体部３１の周囲に大きな環状の隙間Ｓが形成されることになり、蓋体１２との離間距離も十分に確保でき、ヒートシールの際の熱による消毒液の蒸発を確実に防止することができる。尚、本体部３１の頂上部３１ａが蓋体１２の内面から下方に離間しているが、本体部３１の頂上部３１ａ及びその付近のみが蓋体１２の内面に接触する収容状態としてもよい。
【００２８】
そして、図６に示す使用状態では、消毒パッド１３の本体部３１に形成された切り込み３０に器具２の先端部２ａを挿通させて消毒することができる。消毒パッド１３の鍔部３２が薄肉であっても補強板４０が設けられているので消毒時に消毒パッド１３が安定し、また器具２を上方に引き抜く際にも確実に係止用凸部１６に係止されて容器内に留まることになる。
【００２９】
尚、係止用凸部１６の高さについても任意であって、消毒パッド１３が容器本体１１から上方に抜け出ないようにすればよく、従って、図７のように比較的高い位置に係止用凸部１６を形成してもよい。但し、図５のように係止用凸部１６と補強板４０との間の距離は狭い方が、消毒時に消毒パッド１３の上下動が抑制されるため好ましい。
【００３０】
また、図３に示したのと同様に、図８のように消毒パッド１３を段差部１８に載置してその下方に空間部Ｖを形成するようにしてもよい。この場合、段差部１８が鍔部３２のみを下側から支持する構成とするよりも、図８のように段差部１８が本体部３１の下面周縁部も支持するように構成することが好ましい。図９のように器具２の先端部２ａを消毒パッド１３に挿通させて消毒作業を行う際に消毒パッド１３がより一層安定する。但し、容器本体１１に段差部１８を設けるのではなく、係止用凸部１６と同様の凸部を係止用凸部１６の下方に形成して、その凸部の上側に消毒パッド１３を載置するようにしてもよい。その場合には補強板４０を消毒パッド１３の鍔部３２の下側にも配置することが好ましい。
【００３１】
尚、切り込み３０を消毒パッド１３の中央部に形成したが、その位置は任意であって中央部から周縁側にオフセットした位置に形成してもよい。また、切り込み３０の個数も２個以上であってもよい。更には、切り込み３０を上下方向に形成したが、斜めに形成してもよい。また、切り込み３０に代えて図１０のように挿通部として貫通孔３３を消毒パッド１３に形成してもよい。この貫通孔３３は一箇所でも複数箇所でもよく、斜めに形成してもよい。また貫通孔３３を複数形成する場合には孔径を異なるようにしてもよい。尚、切り込み３０と貫通孔３３の双方を形成してもよく、上下に貫通しない切り込み３０や孔を挿通部として設けてもよい。
【００３２】
更に、図１１のように消毒パッド１３の上面中央部３５が蓋体１２の内面に接触する一方、該消毒パッド１３の上面周縁部３４は蓋体１２の内面から所定距離下方に離間して、消毒パッド１３の上面周縁部３４と蓋体１２の内面との間に環状の隙間Ｓを形成するようにしてもよい。このように消毒パッド１３の上面周縁部３４と蓋体１２の内面との間に隙間Ｓを全周に亘って形成する場合、その隙間Ｓの幅Ａは例えば５ｍｍ以上、隙間Ｓの高さＣは３ｍｍ以上設けるようにすることが好ましい。尚、容器本体１１のフランジ部１４の幅Ｂは３〜５ｍｍとし、隙間Ｓの幅Ａ以下とすることが好ましい。使い捨ての構成であるため、容器本体１１のフランジ部１４は可及的に小さくしてゴミとなる量を削減することが好ましい。
【００３３】
また、容器本体１１の係止用凸部１６を環状に形成していたが、周方向に間隔をおいて形成してもよい。図５等のように消毒パッド１３に鍔部３２を設ける場合にはその鍔部３２も全周ではなく一部に形成してもよい。更に、容器本体１１の側壁部１５に係止用凸部１６を形成したが、逆に係止用凹部を係止部として形成し、その係止用凹部に消毒パッド１３が係止するようにしてもよい。
【００３４】
また、容器本体１１の側壁部１５に消毒パッド１３を密着させる構成の場合には、容器本体１１の側壁部１５の内面の少なくとも一部を粗面とすることも好ましい。このように側壁部１５に粗面領域を形成した場合には、該粗面領域が容器内に消毒パッド１３を保持するためのパッド保持手段として機能する。
【００３５】
更に、開封後に容器本体１１の開口部１０に残る蓋体１２の残部をパッド保持手段として、蓋体１２の残部で消毒パッド１３を容器内に保持するようにしてもよい。例えば、図１２のように、蓋体１２の中央部に器具２の先端部２ａが挿通可能なサイズの挿通孔２１を形成しておき、該挿通孔２１を塞ぐように開封片２２を蓋体１２の外面（上面）に剥離可能に接着しておく。この場合、蓋体１２は容器本体１１のフランジ部１４に剥離不能にヒートシールしてもよい。そして、使用に際して開封片２２を蓋体１２から剥離して挿通孔２１を開口させ、該挿通孔２１から器具２の先端部２ａを容器内に挿入して消毒する。開封片２２を蓋体１２から剥離しても容器本体１１のフランジ部１４には蓋体１２が残っているので、該蓋体１２によって消毒パッド１３が容器から抜け出すことが防止される。そして、消毒後はそのまま廃棄処分することができる。尚、図１２のように消毒パッド１３の上面中央部３５と蓋体１２との間の上下の隙間Ｓに比して、消毒パッド１３の上面周縁部３４と蓋体１２との間の上下の隙間Ｓを大きくして、ヒートシールの熱から消毒パッド１３を保護するようにしてもよい。また、図１１のように消毒パッド１３の上面周縁部３４を一段下げて平坦状とする他、図１２のように消毒パッド１３の上面周縁部３４を斜め下方に面取りするようにカットして隙間Ｓを形成してもよい。
【００３６】
また更に、図１３のように蓋体１２の内面に内フィルム２３を接着しておき、該内フィルム２３で挿通孔２１を内側から塞ぐようにしてもよい。該内フィルム２３は例えば先端部２ａが尖った器具２あるいは鋭利な器具２によって破断可能であって、その器具２の先端部２ａで内フィルム２３を突き破ったりカットしたりして開封する。尚、図１３のように容器本体１１の側壁部１５に段差部を設けることなく消毒パッド１３を容器本体１１の底部１７から所定距離上方に浮かすようにしてもよい。この場合、消毒パッド１３を容器本体１１に圧入することで側壁部１５で消毒パッド１３を密着保持させる。上述したように側壁部１５に粗面領域を形成することも好ましく、また、側壁部１５を下側に向かってテーパ状に小さくするようにして側壁部１５の中途部に消毒パッド１３が止まるようにしてもよい。このようにすれば小さい体積の消毒パッド１３で効率良く消毒することができる。
【００３７】
尚、容器本体１１にフランジ部１４を形成したがフランジ部１４を省略してもよく、その場合には容器本体１１の開口縁部である上端面に蓋体１２をヒートシールする。また、容器本体１１は円筒状には限られず、楕円形の筒状や、四角形等の多角形筒状であってもよい。
【００３８】
更に、消毒パッド１３の切り込み３０等の挿通部を省略してもよく、例えば、器具２の先端部２ａを消毒パッド１３の上面に押し付けて器具２の先端部２ａで消毒パッド１３を弾性変形させながら消毒するようにしてもよい。
【符号の説明】
【００３９】
１    使い捨て消毒パッド包装体
２    器具
２ａ  先端部
１０    開口部
１１    容器本体
１２    蓋体
１３    消毒パッド
１４    フランジ部
１５    側壁部
１６    係止用凸部（係止部）
１７    底部
１８    段差部
２０    摘み部
２１    挿通孔
２２    開封片
２３    内フィルム
３０    切り込み（挿通部）
３１    本体部
３１ａ  頂上部
３２    鍔部
３３    貫通孔（挿通部）
３４    上面周縁部
３５    上面中央部
４０    補強板
Ｓ    隙間
Ｖ    空間部
【図１】
2013144569.tif 000003
【図２】
2013144569.tif 000004
【図３】
2013144569.tif 000005
【図４】
2013144569.tif 000006
【図５】
2013144569.tif 000007
【図６】
2013144569.tif 000008
【図７】
2013144569.tif 000009
【図８】
2013144569.tif 000010
【図９】
2013144569.tif 000011
【図１０】
2013144569.tif 000012
【図１１】
2013144569.tif 000013
【図１２】
2013144569.tif 000014
【図１３】
2013144569.tif 000015